(57)【要約】【課題】配信エリア内の移動局ＵＥに対して緊急情報を送信する場合に、一斉に「ＲＲＣ  Ｃｏｎｎｅｃｔｉｏｎ  Ｒｅｑｕｅｓｔ」が送信されることに起因するネットワークの輻輳を回避する。【解決手段】本発明に係る移動局は、緊急情報を受信した際、報知情報によるアクセス規制が発動されているか否かについて確認されるまでの所定の期間、所定の要求信号を送信しないように構成されている。【選択図】図４
2014147124.tif 000002
【特許請求の範囲】
【請求項１】
移動局であって、
緊急情報を受信した際、報知情報によるアクセス規制が発動されているか否かについて確認されるまでの所定の期間、所定の要求信号を送信しないように構成されていることを特徴とする移動局。
【請求項２】
コアネットワーク装置が、配信エリアにおいて緊急情報を配信するように指示された場合を契機に、アクセス規制発動条件が満たされるか否かの判定を実施し、無線アクセスネットワーク装置に対して、アクセス規制を発動するように指示する指示情報を含む警告要求信号を送信する工程Ａと、
前記無線アクセスネットワーク装置が、前記配信エリアにおいて前記緊急情報を配信すると同時に、報知情報によって該配信エリア内の移動局に対して前記アクセス規制を発動する工程Ｂとを有することを特徴とする移動通信方法。
【請求項３】
無線アクセスネットワーク装置が、配信エリアにおいて緊急情報を配信するように指示する警告要求信号を受信した場合を契機に、該警告要求信号に含まれる所定情報に基づいて、該配信エリア内の移動局に対してアクセス規制を発動するか否かについて判定する工程Ａと、
無線アクセスネットワーク装置が、前記配信エリア内の移動局に対して前記アクセス規制を発動すると判定した場合、該配信エリアにおいて前記緊急情報を配信すると同時に、該配信エリア内の移動局に対して報知情報によるアクセス規制を発動する工程Ｂとを有することを特徴とする移動通信方法。
【請求項４】
前記工程Ｂにおいて、前記無線アクセスネットワーク装置は、ＲＲＣコネクション拒絶信号を用いて、前記アクセス規制を発動することを特徴とする請求項２又は３に記載の移動通信方法。
【請求項５】
無線アクセスネットワーク装置であって、
配信エリアにおいて緊急情報を配信するように指示する警告要求信号が受信された場合を契機に、該警告要求信号に含まれる所定情報に基づいて、該配信エリア内の移動局に対してアクセス規制を発動するか否かについて判定するように構成されている判定部と、
前記配信エリア内の移動局に対して前記アクセス規制を発動すると判定された場合、該配信エリアにおいて前記緊急情報を配信すると同時に、該配信エリア内の移動局に対して報知情報による前記アクセス規制を発動するように構成されている送信部とを具備することを特徴とする無線アクセスネットワーク装置。
【発明の詳細な説明】
【技術分野】
【０００１】
本発明は、移動通信方法、コアネットワーク装置、無線アクセスネットワーク装置及び移動局に関する。
【背景技術】
【０００２】
従来、ＥＴＷＳ（Ｅａｒｔｈｑｕａｋｅ  ａｎｄ  Ｔｓｕｎａｍｉ  Ｗａｒｎｉｎｇ  Ｓｙｓｔｅｍ）やＣＭＡＳ（Ｃｏｍｍｅｒｃｉａｌ  Ｍｏｂｉｌｅ  Ａｌｅｒｔ  Ｓｙｓｔｅｍ）やＫＰＡＳ（Ｋｏｒｅａｎ  Ｐｕｂｌｉｃ  Ａｌｅｒｔ  Ｓｙｓｔｅｍ）やＥＵ-Ａｌｅｒｔ等のＰＷＳ（Ｐｕｂｌｉｃ  Ｗａｒｎｉｎｇ  Ｓｙｓｔｅｍ）やＣＢＳ（Ｃｅｌｌ  Ｂｒｏａｄｃａｓｔ  Ｓｅｒｖｉｃｅ）等の緊急情報配信システムでは、ネットワークの輻輳を誘発することなく、配信エリア内の移動局ＵＥに対して、かかる緊急情報を配信することができる。
【０００３】
ここで、移動局ＵＥは、かかる緊急情報を受信した場合、鳴動やポップアップ表示等によって、ユーザに対して、かかる緊急情報の受信を喚起することができる。
【先行技術文献】
【非特許文献】
【０００４】
【非特許文献１】３ＧＰＰ  ＴＳ２３.０４１
【非特許文献２】３ＧＰＰ  ＴＳ２５.３３１
【非特許文献３】３ＧＰＰ  ＴＳ３６.３３１
【発明の概要】
【発明が解決しようとする課題】
【０００５】
しかしながら、従来の緊急情報配信システムでは、移動局ＵＥが、かかる緊急情報を受信した際に、かかる緊急情報をディスプレイに表示するために、自律的に、バックライト等の電源を投入するように構成されることが想定される。
【０００６】
また、移動局ＵＥは、バックライト等の電源の投入と連動して開始されるアプリケーション等を具備しているケースがある。
【０００７】
かかるケースでは、配信エリア内の移動局ＵＥに対して緊急情報を送信する場合に、かかる移動局ＵＥが、一斉に「ＲＲＣ  Ｃｏｎｎｅｃｔｉｏｎ  Ｒｅｑｕｅｓｔ（ＲＲＣコネクション接続要求信号）」を送信することが想定され、ネットワークが輻輳してしまうという問題点があった。特に、配信エリアが広範囲となる場合に、かかる問題点が顕著になる。
【０００８】
そこで、本発明は、上述の課題に鑑みてなされたものであり、配信エリア内の移動局ＵＥに対して緊急情報を送信する場合に、一斉に「ＲＲＣ  Ｃｏｎｎｅｃｔｉｏｎ  Ｒｅｑｕｅｓｔ」が送信されることに起因するネットワークの輻輳を回避することができる移動通信方法、コアネットワーク装置、無線アクセスネットワーク装置及び移動局を提供することを目的とする。
【課題を解決するための手段】
【０００９】
本発明の第１の特徴は、移動通信方法であって、コアネットワーク装置が、配信エリアにおいて緊急情報を配信するように指示された場合で、かつ、アクセス規制発動条件が満たされた場合、無線アクセスネットワーク装置に対して、アクセス規制を発動するように指示する指示情報を含む警告要求信号を送信する工程Ａと、前記無線アクセスネットワーク装置が、前記配信エリアにおいて前記緊急情報を配信すると共に、該配信エリア内の移動局に対して前記アクセス規制を発動する工程Ｂとを有することを要旨とする。
【００１０】
本発明の第２の特徴は、移動通信方法であって、無線アクセスネットワーク装置が、配信エリアにおいて緊急情報を配信するように指示する警告要求信号を受信した場合、該警告要求信号に含まれる所定情報に基づいて、該配信エリア内の移動局に対してアクセス規制を発動するか否かについて判定する工程Ａと、無線アクセスネットワーク装置が、前記配信エリア内の移動局に対して前記アクセス規制を発動すると判定した場合、該配信エリアにおいて前記緊急情報を配信すると共に、該配信エリア内の移動局に対して前記アクセス規制を発動する工程Ｂとを有することを要旨とする。
【００１１】
本発明の第３の特徴は、コアネットワーク装置であって、配信エリアにおいて緊急情報を配信するように指示された場合で、かつ、アクセス規制発動条件が満たされた場合、無線アクセスネットワーク装置に対して、アクセス規制を発動するように指示する指示情報を含む警告要求信号を送信するように構成されている送信部を具備することを要旨とする。
【００１２】
本発明の第４の特徴は、無線アクセスネットワーク装置であって、配信エリアにおいて緊急情報を配信するように指示する警告要求信号が受信された場合、該警告要求信号に含まれる所定情報に基づいて、該配信エリア内の移動局に対してアクセス規制を発動するか否かについて判定するように構成されている判定部と、前記配信エリア内の移動局に対して前記アクセス規制を発動すると判定された場合、該配信エリアにおいて前記緊急情報を配信すると共に、該配信エリア内の移動局に対して前記アクセス規制を発動するように構成されている送信部とを具備することを要旨とする。
【発明の効果】
【００１３】
以上説明したように、本発明によれば、配信エリア内の移動局ＵＥに対して緊急情報を送信する場合に、一斉に「ＲＲＣ  Ｃｏｎｎｅｃｔｉｏｎ  Ｒｅｑｕｅｓｔ」が送信されることに起因するネットワークの輻輳を回避することができる移動通信方法、コアネットワーク装置、無線アクセスネットワーク装置及び移動局を提供することができる。
【図面の簡単な説明】
【００１４】
【図１】本発明の第１の実施形態に係る緊急情報配信システムの全体構成図である。
【図２】本発明の第１の実施形態に係る移動管理ノードの機能ブロック図である。
【図３】本発明の第１の実施形態に係る移動管理ノードによって送信される「Ｗｒｉｔｅ-Ｒｅｐｌａｃｅ  Ｗａｒｎｉｎｇ  Ｒｅｑｕｅｓｔ」のフォーマットの一例を示す図である。
【図４】本発明の第１の実施形態に係る緊急情報配信システムの動作を示すシーケンス図である。
【図５】本発明の変更例１に係る無線基地局の機能ブロック図である。
【図６】本発明の変更例２に係る緊急情報配信システムの全体構成図である。
【図７】本発明の変更例２に係る緊急情報配信システムの動作を示すシーケンス図である。
【発明を実施するための形態】
【００１５】
（本発明の第１の実施形態に係る緊急情報配信システム）
図１乃至図４を参照して、本発明の第１の実施形態に係る緊急情報配信システムについて説明する。
【００１６】
本実施形態では、ＬＴＥ方式の移動通信システムにおける緊急情報配信システムを例に挙げて説明するが、本発明は、かかる緊急情報配信システムに限定されず、他の方式の移動通信システムにおける緊急情報配信システムも適用可能である。
【００１７】
図１に示すように、本実施形態に係る緊急情報配信システムは、セル報知エンティティＣＢＥ（Ｃｅｌｌ  Ｂｒｏａｄｃａｓｔ  Ｅｎｔｉｔｙ）と、セル報知センターＣＢＣ（Ｃｅｌｌ  Ｂｒｏａｄｃａｓｔ  Ｃｅｎｔｅｒ）と、移動管理ノードＭＭＥ（Ｍｏｂｉｌｉｔｙ  Ｍａｎａｇｅｍｅｎｔ  Ｅｎｔｉｔｙ）と、無線基地局ｅＮＢと、移動局ＵＥとを具備している。
【００１８】
図２に示すように、移動管理ノードＭＭＥは、受信部１１と、判定部１２と、送信部１３とを具備している。
【００１９】
受信部１１は、セル報知センターＣＢＣや無線基地局ｅＮＢから、各種信号を受信するように構成されている。
【００２０】
例えば、受信部１１は、セル報知センターＣＢＣから「Ｗｒｉｔｅ-Ｒｅｐｌａｃｅ  Ｗａｒｎｉｎｇ  Ｒｅｑｕｅｓｔ」を受信し、無線基地局ｅＮＢから「Ｗｒｉｔｅ-Ｒｅｐｌａｃｅ  Ｗａｒｎｉｎｇ  Ｒｅｓｐｏｎｓｅ」を受信するように構成されている。
【００２１】
判定部１２は、アクセス規制発動条件が満たされているか否かについて判定するように構成されている。
【００２２】
例えば、判定部１２は、緊急情報の配信元のセル報知センターＣＢＣや、配信エリアの広さや、配信エリア内のセルの数や、配信エリア内のセルに在圏している移動局ＵＥの数等に応じて、予め決められている論理に基づいて、アクセス規制発動条件が満たされているか否かについて判定する、すなわち、配信エリア内の移動局ＵＥに対してアクセス規制を発動するか否かについて判定するように構成されていてもよい。
【００２３】
ここで、判定部１２は、かかるアクセス規制を行うエリア（又は、セル）や、かかるアクセス規制に用いられる規制率や規制時間等についても決定するように構成されていてもよい。
【００２４】
送信部１３は、セル報知センターＣＢＣや無線基地局ｅＮＢに対して、各種信号を送信するように構成されている。
【００２５】
例えば、送信部１３は、セル報知センターＣＢＣに対して「Ｗｒｉｔｅ-Ｒｅｐｌａｃｅ  Ｗａｒｎｉｎｇ  Ｃｏｎｆｉｒｍ」を送信し、無線基地局ｅＮＢに対して「Ｗｒｉｔｅ-Ｒｅｐｌａｃｅ  Ｗａｒｎｉｎｇ  Ｒｅｑｕｅｓｔ」を送信するように構成されている。
【００２６】
ここで、判定部１２が、配信エリア内の移動局ＵＥに対してアクセス規制を発動すると決定した場合、送信部１３は、図３に示すように、アクセス規制を発動するように指示する「Ｏｖｅｒｌｏａｄ  Ａｃｔｉｏｎ/Ｔｒａｆｆｉｃ  Ｌｏａｄ  Ｒｅｄｕｃｔｉｏｎ  Ｉｎｄｉｃａｔｉｏｎ」を含む「Ｗｒｉｔｅ-Ｒｅｐｌａｃｅ  Ｗａｒｎｉｎｇ  Ｒｅｑｕｅｓｔ」を送信するように構成されている。
【００２７】
なお、図３に示す「Ｗａｒｎｉｎｇ  Ａｒｅａ  Ｌｉｓｔ」は、緊急情報の配信エリアを示す。
【００２８】
以下、図４を参照して、本実施形態に係る緊急情報配信システムの動作について説明する。
【００２９】
図４に示すように、ステップＳ１００１において、配信すべき緊急情報が生成されると、ステップＳ１００２において、セル報知エンティティＣＢＥが、セル報知センターＣＢＣに対して、緊急情報配信要求を送信し、ステップＳ１００３において、セル報知センターＣＢＣが、移動管理ノードＭＭＥに対して、「Ｗｒｉｔｅ-Ｒｅｐｌａｃｅ  Ｗａｒｎｉｎｇ  Ｒｅｑｕｅｓｔ」を送信する。
【００３０】
ステップＳ１００４において、移動管理ノードＭＭＥは、セル報知センターＣＢＣに対して、「Ｗｒｉｔｅ-Ｒｅｐｌａｃｅ  Ｗａｒｎｉｎｇ  Ｃｏｎｆｉｒｍ」を送信し、セル報知センターＣＢＣは、セル報知エンティティＣＢＥに対して、緊急情報配信応答を送信する。
【００３１】
移動管理ノードＭＭＥは、「Ｗｒｉｔｅ-Ｒｅｐｌａｃｅ  Ｗａｒｎｉｎｇ  Ｒｅｑｕｅｓｔ」を受信し、かつ、アクセス規制発動条件が満たされたと判定した場合に、配信エリア内の移動局ＵＥに対してアクセス規制を発動すると決定し、ステップＳ１００６において、無線基地局ｅＮＢに対して、アクセス規制を発動するように指示する「Ｏｖｅｒｌｏａｄ  Ａｃｔｉｏｎ/Ｔｒａｆｆｉｃ  Ｌｏａｄ  Ｒｅｄｕｃｔｉｏｎ  Ｉｎｄｉｃａｔｉｏｎ」を含む「Ｗｒｉｔｅ-Ｒｅｐｌａｃｅ  Ｗａｒｎｉｎｇ  Ｒｅｑｕｅｓｔ」を送信する。
【００３２】
無線基地局ｅＮＢは、配信エリア内の移動局ＵＥに対して、ステップＳ１００７において、ページング信号によって、報知情報の変更通知を送信すると共に、ステップＳ１００８において、報知情報（例えば、ＳＩＢ１０/ＳＩＢ１１）によって、緊急情報を通知すると共に、アクセス規制を発動する（例えば、３ＧＰＰのＴＳ２５.３３１/ＴＳ３６.３３１参照）。
【００３３】
例えば、無線基地局ｅＮＢは、配信エリア内の移動局ＵＥに対して、報知情報によって、規制対象のＡＣ（アクセスクラス）の規制率を通知することによって、上述のアクセス規制を発動する。
【００３４】
ここで、移動局ＵＥは、かかる緊急情報の受信に応じて、バックライト等の電源を投入した場合であっても、かかる電源の投入に関連付けられているアプリケーションを開始せず、また、所定のＡＰＮ（Ａｃｃｅｓｓ  Ｐｏｉｎｔ  Ｎａｍｅ）に対する「ＲＲＣ  Ｃｏｎｎｅｃｔｉｏｎ  Ｒｅｑｕｅｓｔ」を送信しない。
【００３５】
なお、移動局ＵＥは、緊急情報を受信した際、アクセス規制が発動されているか否かについての確認を行うように構成されている。すなわち、移動局ＵＥは、緊急情報を含む報知情報を受信した際に、アクセス規制情報を含む報知情報が送信されているか否かについて確認するように構成されている。
【００３６】
そして、移動局ＵＥは、かかる確認が完了するまでの期間、「ＲＲＣ  Ｃｏｎｎｅｃｔｉｏｎ  Ｒｅｑｕｅｓｔ」を送信しないように構成されている。
【００３７】
ステップＳ１００９において、無線基地局ｅＮＢは、移動管理ノードＭＭＥに対して、「Ｗｒｉｔｅ-Ｒｅｐｌａｃｅ  Ｗａｒｎｉｎｇ  Ｒｅｓｐｏｎｓｅ」を送信する。
【００３８】
本実施形態に係る緊急情報配信システムによれば、無線基地局ｅＮＢが、移動管理ノードＭＭＥから受信した「Ｗｒｉｔｅ-Ｒｅｐｌａｃｅ  Ｗａｒｎｉｎｇ  Ｒｅｑｕｅｓｔ」に含まれる「Ｏｖｅｒｌｏａｄ  Ａｃｔｉｏｎ/Ｔｒａｆｆｉｃ  Ｌｏａｄ  Ｒｅｄｕｃｔｉｏｎ  Ｉｎｄｉｃａｔｉｏｎ」に応じて、配信エリア内の移動局ＵＥに対して、緊急情報を送信すると共に、アクセス規制を発動することができるため、配信エリア内の移動局ＵＥによって一斉に「ＲＲＣ  Ｃｏｎｎｅｃｔｉｏｎ  Ｒｅｑｕｅｓｔ」が送信されることに起因するネットワークの輻輳を回避することができる。
【００３９】
（変更例１）
図５を参照して、本発明の変更例１に係る緊急情報配信システムについて説明する。以下、本変更例１に係る緊急情報配信システムについて、上述の第１の実施形態に係る緊急情報配信システムとの相違点に着目して説明する。
【００４０】
図５に示すように、本変更例１に係る無線基地局ｅＮＢは、受信部２１と、判定部２２と、送信部２３とを具備している。
【００４１】
受信部２１は、移動管理ノードＭＭＥや移動局ＵＥから、各種信号を受信するように構成されている。
【００４２】
例えば、受信部２１は、移動管理ノードＭＭＥから「Ｗｒｉｔｅ-Ｒｅｐｌａｃｅ  Ｗａｒｎｉｎｇ  Ｒｅｑｕｅｓｔ」を受信するように構成されている。
【００４３】
判定部２２は、移動管理ノードＭＭＥから受信した「Ｗｒｉｔｅ-Ｒｅｐｌａｃｅ  Ｗａｒｎｉｎｇ  Ｒｅｑｕｅｓｔ」に含まれる所定情報（例えば、「Ｗａｒｎｉｎｇ  Ａｒｅａ  Ｌｉｓｔ」等）に基づいて、アクセス規制発動条件が満たされているか否かについて判定するように構成されている。
【００４４】
なお、判定部２２は、緊急情報の配信元のセル報知センターＣＢＣや、配信エリアの広さや、配信エリア内のセルの数や、配信エリア内のセルに在圏している移動局ＵＥの数等に応じて、予め決められている論理に基づいて、アクセス規制発動条件が満たされているか否かについて判定する、すなわち、配信エリア内の移動局ＵＥに対してアクセス規制を発動するか否かについて判定するように構成されていてもよい。
【００４５】
ここで、判定部２２は、かかるアクセス規制を行うエリア（又は、セル）や、かかるアクセス規制に用いられる規制率や規制時間等についても決定するように構成されていてもよい。
【００４６】
送信部２３は、移動管理ノードＭＭＥや移動局ＵＥに対して、各種信号を送信するように構成されている。
【００４７】
例えば、送信部２３は、移動管理ノードＭＭＥに対して「Ｗｒｉｔｅ-Ｒｅｐｌａｃｅ  Ｗａｒｎｉｎｇ  Ｃｏｎｆｉｒｍ」を送信し、配信エリア内の移動局ＵＥに対してページング信号や報知情報を送信するように構成されている。
【００４８】
ここで、判定部２２が、配信エリア内の移動局ＵＥに対してアクセス規制を発動すると決定した場合、送信部２３は、ページング信号によって、報知情報の変更通知を送信すると共に、報知情報（例えば、ＳＩＢ１０/ＳＩＢ１１）によって、緊急情報を通知すると共に、アクセス規制を発動するように構成されている。
【００４９】
なお、本変更例１に係る緊急情報配信システムでは、移動管理ノードＭＭＥは、図２に示す判定部１２の機能を具備していてもよいし、図２に示す判定部１２の機能を具備していなくてもよい。
【００５０】
（変更例２）
図６及び図７を参照して、本発明の変更例２に係る緊急情報配信システムについて説明する。以下、本変更例１に係る緊急情報配信システムについて、上述の第１の実施形態及び変更例１に係る緊急情報配信システムとの相違点に着目して説明する。
【００５１】
本変更例２では、ＵＴＲＡＮ（Ｕｎｉｖｅｒｓａｌ  ＴｅｒｒｅｓｔｒｉａｌＲａｎｄｏｍ  Ａｃｃｅｓｓ  Ｎｅｔｗｏｒｋ）方式の移動通信システムにおける緊急情報配信システムを例に挙げて説明する。
【００５２】
図６に示すように、本変更例２に係る緊急情報配信システムは、セル報知エンティティＣＢＥと、セル報知センターＣＢＣと、パケット交換機ＧＧＳＮ/ＳＧＳＮ（Ｇａｔｅｗａｙ  Ｇｅｎｅｒａｌ  ｐａｃｋｅｔ  ｒａｄｉｏ  ｓｅｒｖｉｃｅ  Ｓｕｐｐｏｒｔ  Ｎｏｄｅ/Ｓｅｒｖｉｎｇ  Ｇｅｎｅｒａｌ  ｐａｃｋｅｔ  ｒａｄｉｏ  ｓｅｒｖｉｃｅ  Ｓｕｐｐｏｒｔ  Ｎｏｄｅ）と、無線ネットワーク制御局ＲＮＣ（Ｒａｄｉｏ  Ｎｅｔｗｏｒｋ  Ｃｅｎｔｅｒ）無線基地局ＢＴＳと、移動局ＵＥとを具備している。
【００５３】
以下、図７を参照して、本変更例２に係る緊急情報配信システムの動作について説明する。
【００５４】
図７に示すように、ステップＳ２００１において、配信すべき緊急情報が生成されると、ステップＳ２００２において、セル報知エンティティＣＢＥが、セル報知センターＣＢＣに対して、緊急情報配信要求を送信し、ステップＳ２００３において、セル報知センターＣＢＣが、無線ネットワーク制御局ＲＮＣに対して、「Ｗｒｉｔｅ-Ｒｅｐｌａｃｅ  Ｗａｒｎｉｎｇ  Ｒｅｑｕｅｓｔ」を送信する。
【００５５】
ここで、「Ｗｒｉｔｅ-Ｒｅｐｌａｃｅ  Ｗａｒｎｉｎｇ  Ｒｅｑｕｅｓｔ」は、セル報知センターＣＢＣから、パケット交換機ＧＧＳＮ/ＳＧＳＮを経由して、無線ネットワーク制御局ＲＮＣに送信されてもよい。
【００５６】
無線ネットワーク制御局ＲＮＣは、受信した「Ｗｒｉｔｅ-Ｒｅｐｌａｃｅ  Ｗａｒｎｉｎｇ  Ｒｅｑｕｅｓｔ」に含まれる「Ｏｖｅｒｌｏａｄ  Ａｃｔｉｏｎ/Ｔｒａｆｆｉｃ  Ｌｏａｄ  Ｒｅｄｕｃｔｉｏｎ  Ｉｎｄｉｃａｔｉｏｎ」に応じて、ステップＳ２００４において、ページング信号によって、報知情報の変更通知を送信すると共に、ステップＳ２００５において、無線基地局ＢＴＳに対して、報知情報変更指示を送信する。
【００５７】
ステップＳ２００６において、無線基地局ＢＴＳは、配信エリア内の移動局ＵＥに対して、報知情報（例えば、ＳＩＢ３）によって、アクセス規制（例えば、ＤＳＡＣ規制）を発動する。
【００５８】
ステップＳ２００７において、無線基地局ＢＴＳは、配信エリア内の移動局ＵＥに対して、共通トラフィックチャネル（ＣＴＣＨ：Ｃｏｍｍｏｎ  Ｔｒａｆｆｉｃ  Ｃｈａｎｎｅｌ）を介して、緊急情報としてのＣＢＳメッセージを送信する。
【００５９】
ここで、移動局ＵＥは、かかる緊急情報の受信に応じて、バックライト等の電源を投入した場合であっても、かかる電源の投入に関連付けられているアプリケーションを開始せず、また、所定のＡＰＮに対する「ＲＲＣ  Ｃｏｎｎｅｃｔｉｏｎ  Ｒｅｑｕｅｓｔ」を送信しない。
【００６０】
なお、移動局ＵＥは、緊急情報を受信した際、アクセス規制が発動されているか否かについての確認を行うように構成されている。すなわち、移動局ＵＥは、緊急情報を含む報知情報を受信した際に、アクセス規制情報を含む報知情報が送信されているか否かについて確認するように構成されている。
【００６１】
そして、移動局ＵＥは、かかる確認が完了するまでの期間、「ＲＲＣ  Ｃｏｎｎｅｃｔｉｏｎ  Ｒｅｑｕｅｓｔ」を送信しないように構成されている。
【００６２】
以上に述べた本実施形態の特徴は、以下のように表現されていてもよい。
【００６３】
本実施形態の第１の特徴は、移動通信方法であって、コアネットワーク装置（移動管理ノードＭＭＥ、パケット交換機ＧＧＳＮ/ＳＧＳＮ又はセル報知センターＣＢＣ等）が、配信エリアにおいて緊急情報を配信するように指示された場合で、かつ、アクセス規制発動条件が満たされた場合、無線アクセスネットワーク装置（無線基地局ｅＮＢ又は無線ネットワーク制御局ＲＮＣ）に対して、アクセス規制を発動するように指示する「Ｏｖｅｒｌｏａｄ  Ａｃｔｉｏｎ/Ｔｒａｆｆｉｃ  Ｌｏａｄ  Ｒｅｄｕｃｔｉｏｎ  Ｉｎｄｉｃａｔｉｏｎ（指示情報）」を含む「Ｗｒｉｔｅ-Ｒｅｐｌａｃｅ  Ｗａｒｎｉｎｇ  Ｒｅｑｕｅｓｔ（警告要求信号）」を送信する工程Ａと、無線アクセスネットワーク装置が、配信エリアにおいて緊急情報を配信すると共に、配信エリア内の移動局ＵＥに対してアクセス規制を発動する工程Ｂとを有することを要旨とする。
【００６４】
本実施形態の第２の特徴は、移動通信方法であって、無線アクセスネットワーク装置が、配信エリアにおいて緊急情報を配信するように指示する「Ｗｒｉｔｅ-Ｒｅｐｌａｃｅ  Ｗａｒｎｉｎｇ  Ｒｅｑｕｅｓｔ」を受信した場合、かかる「Ｗｒｉｔｅ-Ｒｅｐｌａｃｅ  Ｗａｒｎｉｎｇ  Ｒｅｑｕｅｓｔ」に含まれる所定情報（例えば、「Ｗａｒｎｉｎｇ  Ａｒｅａ  Ｌｉｓｔ」等）に基づいて、配信エリア内の移動局ＵＥに対してアクセス規制を発動するか否かについて判定する工程Ａと、無線アクセスネットワーク装置が、配信エリア内の移動局ＵＥに対してアクセス規制を発動すると判定した場合、配信エリアにおいて緊急情報を配信すると共に、配信エリア内の移動局ＵＥに対してアクセス規制を発動する工程Ｂとを有することを要旨とする。
【００６５】
本実施形態の第１及び第２の特徴において、工程Ｂにおいて、無線アクセスネットワーク装置は、報知情報を用いて、上述のアクセス規制を発動してもよい。
【００６６】
本実施形態の第１及び第２の特徴において、工程Ｂにおいて、無線アクセスネットワーク装置は、「ＲＲＣ  Ｃｏｎｎｅｃｔｉｏｎ  Ｒｅｊｅｃｔ（ＲＲＣコネクション拒絶信号）」を用いて、上述のアクセス規制を発動してもよい。
【００６７】
本実施形態の第３の特徴は、移動管理ノードＭＭＥ（コアネットワーク装置）であって、配信エリアにおいて緊急情報を配信するように指示された場合で、かつ、アクセス規制発動条件が満たされた場合、無線基地局ｅＮＢ（無線アクセスネットワーク装置）に対して、アクセス規制を発動するように指示する「Ｏｖｅｒｌｏａｄ  Ａｃｔｉｏｎ/Ｔｒａｆｆｉｃ  Ｌｏａｄ  Ｒｅｄｕｃｔｉｏｎ  Ｉｎｄｉｃａｔｉｏｎ」を含む「Ｗｒｉｔｅ-Ｒｅｐｌａｃｅ  Ｗａｒｎｉｎｇ  Ｒｅｑｕｅｓｔ」を送信するように構成されている送信部１３を具備することを要旨とする。
【００６８】
本実施形態の第４の特徴は、無線基地局ｅＮＢ（無線アクセスネットワーク装置）であって、配信エリアにおいて緊急情報を配信するように指示する「Ｗｒｉｔｅ-Ｒｅｐｌａｃｅ  Ｗａｒｎｉｎｇ  Ｒｅｑｕｅｓｔ」が受信された場合、「Ｗｒｉｔｅ-Ｒｅｐｌａｃｅ  Ｗａｒｎｉｎｇ  Ｒｅｑｕｅｓｔ」に含まれる所定情報（例えば、「Ｗａｒｎｉｎｇ  Ａｒｅａ  Ｌｉｓｔ」等）に基づいて、配信エリア内の移動局ＵＥに対してアクセス規制を発動するか否かについて判定するように構成されている判定部２２と、配信エリア内の移動局ＵＥに対してアクセス規制を発動すると判定された場合、配信エリアにおいて緊急情報を配信すると共に、配信エリア内の移動局に対してアクセス規制を発動するように構成されている送信部２３とを具備することを要旨とする。
【００６９】
本実施形態の第５の特徴は、移動局ＵＥであって、緊急情報を受信した際、アクセス規制が発動されているか否かについての確認を完了するまでの期間、「ＲＲＣ  Ｃｏｎｎｅｃｔｉｏｎ  Ｒｅｑｕｅｓｔ（接続要求信号）」を送信しないように構成されていることを要旨とする。
【００７０】
なお、上述の移動局ＵＥや無線基地局ｅＮＢや移動管理ノードＭＭＥの動作は、ハードウェアによって実施されてもよいし、プロセッサによって実行されるソフトウェアモジュールによって実施されてもよいし、両者の組み合わせによって実施されてもよい。
【００７１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢや移動管理ノードＭＭＥ内に設けられていてもよい。また、かかる記憶媒体及びプロセッサは、ディスクリートコンポーネントとして移動局ＵＥや無線基地局ｅＮＢや移動管理ノードＭＭＥ内に設けられていてもよい。
【００７３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７４】
ＵＥ…移動局
ｅＮＢ…無線基地局
ＭＭＥ…移動管理ノード
１１、２１…受信部
１２、２２…判定部
１３、２３…送信部
【図１】
2014147124.tif 000003
【図２】
2014147124.tif 000004
【図３】
2014147124.tif 000005
【図４】
2014147124.tif 000006
【図５】
2014147124.tif 000007
【図６】
2014147124.tif 000008
【図７】
2014147124.tif 000009